(57)【要約】      （修正有）【課題】音声の録音がしやすく、使いやすい録音・再生機能付文具製品を提供する。【解決手段】録音・再生機能付文具製品１は、音声を検出するマイク１１と、録音ボタン１２と、再生ボタン１３と、スピーカー１６と、音声が記憶される記憶機能部２４、音声の記憶を制御する録音制御機能部２５、及び音声の再生を制御する再生制御機能部２６を有する制御部１４と、マイク１１、録音ボタン１２、再生ボタン１３、スピーカー１６、及び制御部１４を内部に収納する本体を少なくとも備え、前記本体における所定面には、その中心から一方の方向に寄った第一の領域と、前記一方の方向とは反対の他方の方向に寄った第二の領域があり、前記マイク１１は前記第一の領域に配置され、前記録音ボタン１２及び再生ボタン１３は前記第二の領域に配置されていることを特徴とする。【選択図】図３
0003204330.tif 000002
【実用新案登録請求の範囲】
【請求項１】
音声を検出するマイクと、
音声の録音開始及び停止の指示が入力される録音ボタンと、
録音された音声の再生指示が入力される再生ボタンと、
録音された音声を出力するスピーカーと、
前記マイクにより検出された音声が記憶される記憶手段、録音ボタンから入力された録音開始及び停止の指示に基づいて音声の記憶を制御する録音制御手段、及び再生ボタンから入力された再生指示に基づいて記憶された音声の再生を制御する再生制御手段を有する制御部と、
前記マイク、前記録音ボタン、前記再生ボタン、前記スピーカー、及び前記制御部を内部に収納する本体とを少なくとも備え、
前記本体における所定面には、その中心から一方の側にある第一の領域と、前記一方の方向とは反対の側にある第二の領域があり、
前記マイクは前記第一の領域に配置され、
前記録音ボタン及び前記再生ボタンは前記第二の領域に配置されていることを特徴とする録音・再生機能付文具製品。
【請求項２】
前記第一の領域と第二の領域の間に表示領域が設けられ、
前記第一の領域は、前記一方の方向と交わる方向の片側の端部に第一の端部領域を有し、
前記第二の領域は、前記第一の端部領域と同じ側の端部に第二の端部領域を有し、
前記マイクは、前記第一の端部領域に配置され、
前記録音及び前記再生ボタンは、前記第二の端部領域に配置され、
前記録音ボタンは前記再生ボタンと隣接し、前記再生ボタンよりも前記マイクに近い部分に配置されていることを特徴とする
請求項１に記載の録音・再生機能付文具製品。
【請求項３】
前記第一の領域は、前記一方の方向と交わる方向の片側の端部に第一の端部領域を有し、
前記第二の領域は、前記第一の端部領域とは反対側の端部に第三の端部領域を有し、
前記マイクは、前記第一の端部領域に配置され、
前記録音ボタン及び前記再生ボタンは、前記第三の端部領域に配置され、
前記スピーカーは、その音声出力方向が前記所定面とは反対側の面に向かっていることを特徴とする
請求項１に記載の録音・再生機能付文具製品。
【請求項４】
前記第一の領域は、前記一方の方向と交わる方向の片側の端部に第一の端部領域を有し、その反対側の端部に第四の端部領域を有し、
前記第二の領域は、前記第一の端部領域と同じ側の端部に第二の端部領域を有し、その反対側の端部に第三の端部領域を有し、
前記マイクは、前記第一の端部領域に配置され、
前記スピーカーは、前記第四の端部領域に配置され、
前記録音ボタンは、前記第二の端部領域又は前記第三の端部領域のいずれか一方に配置され、
前記再生ボタンは、前記第二の端部領域又は前記第三の端部領域のいずれか他方に配置されていることを特徴とする
請求項１に記載の録音・再生機能付文具製品。
【請求項５】
前記制御部の録音制御手段は、録音の開始を知らせる開始音と、前記録音の終了を知らせる終了音を前記スピーカーから出力させることを特徴とする請求項１から請求項４のいずれか１項に記載の録音・再生機能付文具製品。
【考案の詳細な説明】
【技術分野】
【０００１】
本考案は、色紙などの文具に用いて好適な録音・再生機能付文具製品に関する。
【背景技術】
【０００２】
従前より、録音・再生装置を内蔵し、使用者の音声メッセージや音楽などの音声等を録音でき、かつ、その録音した音声等を再生可能な録音・再生機能付文具製品が知られている（例えば、特許文献１参照。）。そして、そのような録音・再生機能付文具製品は、例えばグリーティングカードや色紙といった文具などに主に用いられている。このような録音・再生機能付文具製品には、録音・再生機能を主に有した録音・再生装置と、録音・再生装置に録音の指示を行う録音ボタン、録音・再生装置に記憶された音声データの再生を指示する再生ボタン、再生された音声データを出力するスピーカー、及び録音する音声等を入力するマイクなどが主に備えられている。
【先行技術文献】
【特許文献】
【０００３】
【特許文献１】特開平１１−５９０３３号公報
【考案の概要】
【考案が解決しようとする課題】
【０００４】
上述の特許文献１に記載された技術では、録音・再生機能付文具製品であるグリーティングカードの表面に、録音ボタン及び再生ボタンが設けられ、マイクがその裏側の裏面に設けられている。このため、例えば使用者が自らの声を録音しようとした場合には、表側の録音ボタンを押しながら、裏側のマイクに向かって話さなければならず使いにくいという問題があった。また、マイクを録音ボタンの設けられている表面に設けたとしても、マイクが録音ボタンの近くに配置された場合には、録音ボタンを押している指が邪魔になり録音しにくく、場合によってはマイクの感度領域を録音ボタンを操作する指が遮ってしまい鮮明な録音ができない可能性があるといった問題があった。
【０００５】
本考案は、上記の課題を解決するためになされたものであって、録音がしやすく、操作も容易な録音・再生機能付文具製品を提供することを目的とする。
【課題を解決するための手段】
【０００６】
上記目的を達成するために、本考案は、以下の手段を提供する。
本考案の録音・再生機能付文具製品は、音声を検出するマイクと、音声の録音開始及び停止の指示が入力される録音ボタンと、録音された音声の再生指示が入力される再生ボタンと、録音された音声を出力するスピーカーと、前記マイクにより検出された音声が記憶される記憶手段、録音ボタンから入力された録音開始及び停止の指示に基づいて音声の記憶を制御する録音制御手段、及び再生ボタンから入力された再生指示に基づいて記憶された音声の再生を制御する再生制御手段を有する制御部と、前記マイク、前記録音ボタン、前記再生ボタン、前記スピーカー、及び前記制御部を内部に収納する本体とを少なくとも備え、前記本体における所定面には、その中心から一方の方向の側にある第一の領域と、前記一方の方向とは反対の側にある第二の領域があり、前記マイクは前記第一の領域に配置され、前記録音ボタン及び前記再生ボタンは前記第二の領域に配置されていることを特徴とする。
【０００７】
本考案の録音・再生機能付文具製品によれば、録音ボタンが押されると、制御部の録音制御手段に録音開始指示信号が入力され、制御部は録音可能状態となる。この際、マイクから人の声などの音声が入力されると、入力された音声は、電気信号に変換されて制御部の記憶手段に入力され、音声データとして記憶される。続いて再生ボタンが押されると、制御部の再生制御手段に再生指示信号が入力され、制御部の記憶手段に記憶されている音声データが読み出され、スピーカーから記憶されていた音声が出力される。
【０００８】
上記考案においては、前記第一の領域と第二の領域の間に表示領域が設けられ、前記第一の領域は、前記一方の方向と交わる方向の片側の端部に第一の端部領域を有し、前記第二の領域は、前記第一の端部領域と同じ側の端部に第二の端部領域を有し、前記マイクは、前記第一の端部領域に配置され、前記録音及び前記再生ボタンは、前記第二の端部領域に配置され、前記録音ボタンは前記再生ボタンと隣接し、前記再生ボタンよりも前記マイクに近い部分に配置されていることを特徴とすることが好ましい。
【０００９】
このようにすることにより、使用者は、表示領域に相手へのメッセージを記入したり、写真などの画像を貼り付けたり、又はその他の装飾を施したりすることができる。また、使用者が自身の音声を録音する際には、録音ボタンを押しながら、録音ボタンが配置された面と同じ面に配置されたマイクに向かって音声を発することになる。
【００１０】
さらに上記考案において、前記第一の領域は、前記一方の方向と交わる方向の片側の端部に第一の端部領域を有し、前記第二の領域は、前記第一の端部領域と反対側の端部に第三の端部領域を有し、前記マイクは、前記第一の端部領域に配置され、前記録音ボタン及び前記再生ボタンは、前記第三の端部領域に配置され、前記スピーカーは、その音声出力方向が前記所定面とは反対側の面に向かっていることを特徴とすることが好ましい。
【００１１】
このようにすることにより、使用者が再生ボタンを押すと、再生ボタンが配置されている面の反対面に向かって配置されたスピーカーから音声が出力される。この様にスピーカーが反対面に向かって配置されていることから、再生の操作をしながら、操作者以外の人に録音されている音声を聞かせることが可能となり、複数の人に録音されている音声メッセージを聞かせることが容易になる。
【００１２】
さらに上記考案において、前記第一の領域は、前記一方の方向と交わる方向の片側の端部に第一の端部領域を有し、その反対側の端部に第四の端部領域を有し、前記第二の領域は、前記第一の端部領域と同じ側の端部に第二の端部領域を有し、その反対側の端部に第三の端部領域を有し、前記マイクは、前記第一の端部領域に配置され、前記スピーカーは、前記第四の端部領域に配置され、前記録音ボタンは、前記第二の端部領域又は前記第三の端部領域のいずれか一方に配置され、前記再生ボタンは、前記第二の端部領域又は前記第三の端部領域のいずれか他方に配置されていることを特徴とすることが好ましい。
【００１３】
このよう、再生ボタンと録音ボタンを離して配置することにより、使用者による誤操作を防ぐことができる。
さらに上記考案において、前記制御部の録音制御手段は、録音の開始を知らせる開始音と、前記録音の終了を知らせる終了音を前記スピーカーから出力させることを特徴とすることが好ましい。
【００１４】
このようにすることにより、使用者が音声データを録音するために録音ボタンを押すと、録音の開始音がスピーカーから出力される。また、使用者が録音を終了するために録音ボタンを放したり、又は録音可能時間を超えたりするなどして録音が終了した場合には、録音の終了を知らせる終了音がスピーカーから出力される。
【考案の効果】
【００１５】
本考案の録音・再生機能付文具製品によれば、音声が入力されるマイクと、制御部に録音、再生の指示を行う録音ボタン、及び再生ボタンが同一の面に設けられ、かつ、マイクとは離れて配置されていることから、録音の際に録音ボタンを操作する指が邪魔になることなく録音のための操作を容易に行うことができるという効果を奏する。
【図面の簡単な説明】
【００１６】
【図１】本考案の第１の実施形態に係る録音・再生機能付文具製品の外観図である。
【図２】本考案の第１の実施形態に係る録音・再生機能付文具製品を閉じた状態とした外観図である。
【図３】本考案の第１の実施形態に係る録音・再生機能付文具製品の素子の配置の様子を示す図である。
【図４】本考案の第２の実施形態に係る録音・再生機能付文具製品の表面側の外観図である。
【図５】本考案の第２の実施形態に係る録音・再生機能付文具製品の裏面側の外観図である。
【図６】本考案の第２の実施形態に係る録音・再生機能付文具製品の素子の配置の様子を示す図である。
【図７】本考案の第３の実施形態に係る録音・再生機能付文具製品の外観図である。
【図８】本考案の第３の実施形態に係る録音・再生機能付文具製品の裏面側の拡大外観図である。
【図９】図９（ａ）は本考案の第３の実施形態に係る録音・再生機能付文具製品の表面をなす板状部材の表側の面を表す図である。図９（ｂ）は、本考案の第３の実施形態に係る録音・再生機能付文具製品の表面をなす板状部材の裏側の面を表す図である。図９（ｃ）は、本考案の第３の実施形態に係る録音・再生機能付文具製品の裏面をなす板状部材の表側の面を表す図である。
【考案を実施するための形態】
【００１７】
〔第１の実施形態〕
以下、本考案の第１の実施形態に係る録音・再生機能付文具製品ついて図１から図３を参照しながら説明する。本実施形態では、本考案に係る録音・再生機能付文具製品を録音・再生機能付の色紙として適用した場合について説明をする。
【００１８】
本考案に係る録音・再生機能付色紙１は、図１に示す様な長方形の紙製の色紙であり、主にメッセージを書いたり写真を張ったりして贈り物などとして用いられるものである。
録音・再生機能付色紙１の表面２は、それぞれ同じ大きさの紙製の板状部材からなる右側部３と左側部５から主になっている。なお、以降の説明において、図１において表されている面である表面２の側を表側と、表面２の反対面の側を裏側と記載する。また、左右、上下の方向は、図中に示す方向とする。
【００１９】
右側部３及び左側部５は、それぞれが隣り合う辺において連結部４によって開閉可能に連結されており、左側部５の表側の面を右側部３の表側の面に重ねる様に折り重ねることができる。このとき、録音・再生機能付色紙１は閉じた状態となり、表面２は外側から見えない状態となる。
【００２０】
録音・再生機能付色紙１の図示されていない裏側の面は、右側部３の裏側に配置されている裏面部７と、左側部５の裏側に配置されている裏面部６から主に構成されており、裏面部６及び裏面部７はそれぞれ同一の大きさの紙製の板状部材からなっている。裏面部６は、録音・再生機能付色紙１を閉じた状態とした場合には、右側部３の表面を覆う蓋となり、表側の面にもなるため（図２参照）、装飾となるような模様が施されていてもよい。なお、右側部３、左側部５、裏面部６及び裏面部７に模様等が印刷された装飾紙等が貼り付けられ、録音・再生機能付色紙１の全体が、装飾紙等で覆われた形態であってもよい。
【００２１】
右側部３と裏面部７の各辺の部分の間には、図示しない側面部材が設けられ、接着剤などによってそれぞれ右側部３と裏面部７に接着されている。この側面部材によって、右側部３と裏面部７との間に後述するマイク１１や制御ＩＣ１４などの素子を配置するための配置空間１７（図３参照。）が確保されている。なお、この側面部材は、右側部３又は裏面部７をなす板状部材の一部が折り曲げられることによって形成されてもよい。
【００２２】
なお、本実施形態では、左側部５と裏面部６との間には前述の側面部材は設けられておらず、左側部５と裏面部６が直接張り合わされている例に適用して説明するが、左側部５と裏面部６との間にも同様に側面部材を設け、左側部５と裏面部６との間に空間を設けてもよい。また、左側部５と裏面部６を一枚の板状部材から構成し、板状部材の表面を左側部５と、その裏面を裏面部６としてもよい。
【００２３】
左側部５の中心付近には、メッセージを書き込んだり、写真などを貼り付けたりする表示領域１０が設けられている。本実施形態では、この表示領域１０は、その周囲を枠線などで区画しているが、特にその様な枠線を設けず、左側部５の任意の位置を表示領域１０としてもよい。
【００２４】
表面２の上側の辺である辺８に沿った上側の領域の右端の部分には、音声などを入力するマイク１１の位置を示すマイク位置表示２１が設けられている。なお、マイク１１は、録音の際に音声などを集音する部分であり、その感度方向が、表面２側の方向になるように配置されている。
【００２５】
このマイク位置表示２１によって使用者はマイク１１の位置を認識することができ、マイク１１に向かってしゃべったり、マイク１１を音源の方向に向けたりすることができるため感度良く集音して録音することが可能となる。
【００２６】
表面２の下側の辺である辺９に沿った下側の領域の右端の部分には、録音の開始を指示する録音ボタン１２の位置を示す録音ボタン位置表示２２が設けられている。そして、この録音ボタン位置表示２２と隣接した下側の部分に、再生の開始を指示する再生ボタン１３の位置を示す再生ボタン位置表示２３が設けられている。この、録音ボタン位置表示２２、及び再生ボタン位置表示２３の裏側の部分に、録音ボタン１２、再生ボタン１３がそれぞれ配置されており、使用者がこの録音ボタン位置表示２２、又は再生ボタン位置表示２３の部分を押すと、その裏側に設けられた対応する録音ボタン１２、又は再生ボタン１３が稼働する。
【００２７】
なお、この辺８に沿った上側の領域が実用新案登録請求の範囲における第一の領域と、辺９に沿った下側の領域が実用新案登録請求の範囲における第二の領域とされている。また、辺８に沿った上側の領域の右端の部分が実用新案登録請求の範囲における第一の端部領域と、辺９に沿った下側の領域の右端の部分が、実用新案登録請求の範囲における第二の端部領域とされている。
【００２８】
なお、配置空間１７には、スピーカー１６（図３参照。）がその音声出力方向が裏面部７から表面２に向かう方向となる様に配置されている。また、配置空間１７の他の任意の位置に、制御ＩＣ１４、及びバッテリー１５が配置されている。なお、スピーカー１６は、左側部５と裏面部６との間に側面部材を配置して設けた他の配置空間１７に設けてもよい。
【００２９】
次に、図３を参照しながら、上記の構成からなる録音・再生機能付色紙１の動作について説明する。なお、図３は説明のため、右側部３を取り外して配置空間１７の内部が見えるようにし、各素子の配置の様子をブロック図として模式的に表したものである。なお、マイク１１などの各素子は、それぞれ接着剤などによって裏面部７の配置空間１７側の面に固定されている。
【００３０】
マイク１１は、使用者の声や音楽などの音声を電気信号である音声信号に変換し、制御ＩＣ１４の記憶機能部２４に入力する集音マイクである。スピーカー１６は、制御ＩＣ１４に記憶された音声データを、音声として出力する部分である。バッテリー１５は、制御ＩＣ１４に電力を供給する電源であり、ボタン型電池や乾電池など、適切な大きさの任意の電池が使用可能である。
【００３１】
制御ＩＣ１４は、主に録音・再生機能を有する半導体集積回路であり、マイク１１から入力された音声信号を音声データとして記憶する記憶機能部２４、録音ボタン１２からの録音開始指示信号に従って音声の録音の開始、終了を制御する録音制御機能部２５、及び再生ボタン１３からの再生開始指示信号に従って録音の再生、停止を制御する再生制御機能部２６を主に有する。なお、制御ＩＣ１４が実用新案登録請求の範囲における制御部と、記憶機能部２４が実用新案登録請求の範囲における記憶手段とされている。また、録音制御機能部２５が実用新案登録請求の範囲における録音制御手段と、再生制御機能部２６が実用新案登録請求の範囲における再生制御手段とされている。
【００３２】
録音ボタン１２は、使用者によって押されることで録音開始指示信号を制御ＩＣ１４の録音制御機能部２５に出力する部分である。また、再生ボタン１３は、使用者によって押されることで再生開始指示信号を制御ＩＣ１４の再生制御機能部２６に出力する部分である。
【００３３】
制御ＩＣ１４は、その録音制御機能部２５に録音ボタン１２からの録音開始指示信号が入力されると、録音可能状態となる。具体的には、録音開始指示信号が入力されると、制御ＩＣ１４の記憶制御部が動作可能状態となり、マイク１１からの音声信号をＡ／Ｄ変換し、音声データとして記憶する。本実施形態では、この録音開始指示信号が、使用者が録音ボタン１２を押している間、継続的に出力されて制御ＩＣ１４の録音可能状態が継続され、使用者が録音ボタン１２を放すと録音開始指示信号が止まり、制御ＩＣ１４の録音可能状態が解除される例に適用して説明を行う。なお、制御ＩＣ１４の録音制御機能部２５は、録音ボタン１２が押され録音可能状態となった際に、スピーカー１６に“ピッ”などの録音の開始を知らせる電子音を発する信号を出力し、また、録音可能状態が解除された際には“ピッピッ”といった録音の終了を知らせる電子音を発する信号を出力する。
【００３４】
なお、制御ＩＣ１４の録音状態の制御は、上記に限定されるものではなく、例えば使用者が録音ボタン１２を一度押すことで、制御ＩＣ１４が録音可能状態になり、再度ボタン１２を押すと制御ＩＣ１４の録音可能状態が解除される様にしてもよい。
【００３５】
制御ＩＣ１４は、その再生制御機能部２６に再生ボタン１３からの再生開始指示信号が入力されると、再生可能状態となる。具体的には、再生開始指示信号が入力されると、制御ＩＣ１４の再生制御機能部２６が記憶機能部２４に記憶された音声データをＤ／Ａ変換し、音声信号をスピーカー１６に出力する。本実施形態では、使用者が再生ボタン１３を押している間、制御ＩＣ１４の音声再生状態が継続してスピーカー１６から音声が出力され、使用者が再生ボタン１３を放すと制御ＩＣ１４の音声再生状態が解除され、スピーカー１６からの音声出力が止まる例に適用して説明を行う。
【００３６】
なお、制御ＩＣ１４の音声再生状態の制御は上記に限定されるものではなく、例えば使用者が再生ボタン１３を一度押すことで制御ＩＣ１４が音声再生状態となり、その後使用者が再生ボタン１３を放しても制御ＩＣ１４の音声再生状態は維持される様な制御を行ってもよい。この場合、制御ＩＣ１４の音声再生状態は、記憶機能部２４に記憶されている音声データの再生が終了するまで維持され、音声データの再生が終了すると自動的に解除される様な制御としても良い。又は、再び再生ボタン１３が押されるまで音声再生状態が継続し、記憶されている音声データを繰り返し再生する様な制御としても良い。
【００３７】
次に上記構成からなる録音・再生機能付色紙１の作用を、使用手順に従って説明する。
はじめに、録音・再生機能付色紙１の送り主である使用者は、自らの音声などを録音するために、録音ボタン位置表示２２の部分を指などで押しながら、マイク位置表示２１に向かって音声を発する。録音ボタン位置表示２２の部分を押すと録音ボタン１２が録音開始指示信号を制御ＩＣ１４の録音制御機能部２５に出力し、制御ＩＣ１４が録音可能状態となる。制御ＩＣ１４の録音可能状態は、録音ボタン１２を作動させている間維持され、その間の音声が制御ＩＣ１４の記憶機能部２４に録音される。
【００３８】
次いで、録音・再生機能付色紙１を受け取った他の使用者は、録音されている音声を聞くために、再生ボタン位置表示２３の部分を指などで押す。再生ボタン位置表示２３の部分が押されるとその裏側に配置されている再生ボタン１３が、再生開始指示信号を制御ＩＣ１４の再生制御機能部２６に出力し、制御ＩＣ１４が音声再生状態となり、記憶されていた音声データがスピーカー１６から音声として出力される。制御ＩＣ１４の音声再生状態は再生ボタン１３が作動している間だけ維持されるため、使用者は再生ボタン位置表示２３への押圧を止めることで、音声の再生を止めることができる。
【００３９】
上記の構成からなる録音・再生機能付色紙１によれば、マイク１１が本体部２の上側の部分にされ、録音ボタン１２はマイク１１とは離れた下側の部分に配置されているため、録音ボタン１２を操作する使用者の指などがマイク１１を覆ってしまうおそれが少ない。このため、録音操作が容易で、鮮明な録音が可能な録音・再生機能付色紙１を提供することが可能となる。また、マイク１１が、その感度方向が録音ボタン１２の操作部でもある録音ボタン位置表示２２の設けられている表側の面に向く様に配置されていることから、使用者は録音ボタン位置表示２２を目視しながら、マイク１１に向かってしゃべることができ、その操作を容易に行うことができる。また、マイク１１の位置を示すマイク位置表示２１が設けられていることから、使用者はマイク１１位置を容易に認識することができるため、どの方向に向かってしゃべれば良いか、または、録音・再生機能付色紙１のどの部分を音源に向ければ良いかを知ることができる。
【００４０】
また、制御ＩＣ１４の録音制御機能部２５が、録音可能状態となった時、及び録音可能状態が解除された時に電子音を発し、録音の開始及び終了を知らせる機能を有していることから、使用者は、録音の開始、及び終了を音にて知ることができるため、録音・再生機能付色紙１が録音状態であるかどうかを明確に認識できる。また、その電子音は周囲の人にも聞こえるため、録音状態の際には不要な音を立てない様に周囲の人に注意を促すことも可能となる。
【００４１】
また、録音・再生機能付色紙１には表示領域１０を設けていることから、録音した音声によるメッセージに加えて、文字によるメッセージを相手に送ることができたり、音声によるメッセージに関連した写真などを貼り付けたりすることができるため、より印象深い色紙を相手に送ることができる。更に、連結部４を設け、録音・再生機能付色紙１を折り畳んで表面２を外部から見えない状態とすることができるため、相手が録音・再生機能付色紙１を開けるまでは表示領域１０のメッセージや写真などを秘密にすることができ、相手が録音・再生機能付色紙１を開けた際に、より強い印象を相手に与えることもできる。
【００４２】
〔第２の実施形態〕
次に、本考案の第２の実施形態について図４から図６を参照しながら説明する。
本実施形態では、本考案に係る録音・再生機能付文具製品を録音・再生機能付金封として適用した場合について説明する。
【００４３】
本実施形態に係る録音・再生機能付金封３０の基本構成は、第１の実施形態と同様であるが、第１の実施形態とは、録音ボタン１２、再生ボタン１３、録音ボタン位置表示２２、及び再生ボタン位置表示２３の配置が異なる点が相違する。このため、以降、第１の実施形態と相違する点について主に説明し、共通する点についてはその説明を省略する。
【００４４】
本実施形態に係る録音・再生機能付金封３０は、その表側の面をなす表面部３１と裏側の面をなす裏面部３６から主になっている。この表面部３１と裏面部３６は、略同一の大きさの紙製の板状部材からなっている。表面部３１と裏面部３６の各辺の間には、側面部３７が設けられており、録音・再生機能付金封３０の側面部をなすとともに、表面部３１と裏面部３６の間に、マイク１１などの素子を配置するための図示されていない配置空間１７を形成している。なお、この側面部３７は、表面部３１及び裏面部３６とは異なる部材によって形成してもよく、表面部３１又は裏面部３６をなす板状部材の一部を折り曲げて形成しても良い。
【００４５】
なお、本実施形態では、表面部３１の上側の部分に定型メッセージである「おめでとう」の文字が印刷されているが、他のメッセージが印刷されていてもよく、又は、使用者が自由にメッセージを記入できる様な領域が設けられていてもよい。
【００４６】
表面部３１の上側の辺である辺３８に沿った領域の左側の部分には、マイク位置表示２１が設けられている。このマイク表示２１の上側の部分には、外部からの音声をマイク１１に伝え易くするための貫通孔３３が設けられている。そして、この貫通孔３３の裏側にマイク１１が、その感度方向が表面部３１側になるように配置されている。
【００４７】
表面部３１の下側の辺である辺３９に沿った領域の左側の部分には、録音ボタン位置表示２２が設けられており、右側の部分には、再生ボタン位置表示２３が設けられている。録音ボタン位置表示２２の裏側には、録音ボタン１２が、再生ボタン位置表示２３の裏側には、再生ボタン１３がそれぞれ配置されている。なお、録音ボタン位置表示２２及び録音ボタン１２と、再生ボタン位置表示２３及び再生ボタン１３の配置は左右逆であっても構わない。
【００４８】
マイク位置表示２１の右側の部分に、スピーカー位置表示３２が設けられており、その左上側の部分には、スピーカー１６からの音声を通過させるための複数の貫通孔３４が設けられている。貫通孔３４が設けられた部分の裏側には、スピーカー１６がその出力方向が裏面部３６から表面部３１に向かう方向となるように配置されている。
【００４９】
なお、表面部３１の上側の辺である辺３８に沿った領域が実用新案登録請求の範囲における第一の領域と、表面部３１の下側の辺である辺３９に沿った領域が実用新案登録請求の範囲における第二の領域とされている。また、マイク位置表示２１が設けられている辺３８に沿った領域の左側の部分が実用新案登録請求の範囲における第一の端部領域、その右側の部分が実用新案登録請求の範囲における第四の端部領域とされている。更に、辺３９に沿った領域の左側の部分が実用新案登録請求の範囲における第二の端部領域と、その右側の部分が実用新案登録請求の範囲における第三の端部領域とされている。
【００５０】
なお、録音・再生機能付金封３０の表面部３１と反対の裏面部３６には、お金などを入れた封筒などを収納する封筒収納部３５が設けられており（図５参照）、使用者がこの封筒収納部３５にお年玉などとして現金を入れたり、メッセージなどを書いた用紙などを入れたりすることができるようになっている。
【００５１】
次に、録音・再生機能付金封３０の構成を、図６を参照しながら説明する。なお図６は、説明のために側面部３７を取り除き、録音・再生機能付金封３０を分解し、表面部３１と裏面部３６の配置空間１７側の面が表されている状態が示されている。
【００５２】
本実施形態に係る録音・再生機能付金封３０では、マイク１１、スピーカー１６、制御ＩＣ１４、及びバッテリー１５は、それぞれ表面部３１の配置空間１７側の面に接着剤などによって固定されている。なお、マイク１１は、表面部３１のマイク位置表示２１が設けられた位置の裏側の部分に、その感度方向が裏面部３６から表面部３１に向かう方向となるように固定されている。また、スピーカー１６は、表面部３１のスピーカー位置表示３２が設けられた位置の裏側の部分に、その音声出力方向が裏面部３６から表面部３１に向かう方向となるように固定されている。
【００５３】
録音ボタン１２は、裏面部３６の配置空間１７側の面であって、表面部３１の録音ボタン位置表示２２と対応する部分に固定されている。また、再生ボタン１３も同様に、裏面部３６の配置空間１７側の面であって、表面部３１の再生ボタン位置表示２３と対応する部分に固定されている。なお、マイク１１、スピーカー１６、制御ＩＣ１４、及びバッテリー１５を、録音ボタン１２及び再生ボタン１３が配置されている裏面部３６に固定してもよい。
【００５４】
このように構成された録音・再生機能付金封３０では、録音ボタン１２と再生ボタン１３が左右に離されて配置されていることから、再生時に誤って録音ボタン１２を押してしまい、録音されていたメッセージを上書きしてしまう様な誤操作を防ぐことが可能となる。また、録音・再生機能付金封３０を両手で持ち、右手の親指で録音ボタン１２を操作し、左手の親指で再生ボタン１３を操作することもできるため、容易な操作が可能となる。
【００５５】
また、マイク１１が配置される位置に、音声を通過させるための貫通孔３３が設けられていることから、表面部３１による音声等の減衰が緩和され、より鮮明な音声をマイク１１に入力することができる。同様にスピーカー１６が配置される位置に、音声を通過させるための貫通孔３４が設けられていることから、表面部３１による音声等の減衰が緩和され、スピーカー１６からの出力音声をより鮮明に音声を聞くことが可能となる。
【００５６】
更に、封筒収納部３５が設けられていることから、現金などを同封して録音・再生機能付金封３０をお年玉や婚礼祝いなどの場面で使用することができる。また、メッセージを記した用紙などを同封すれば、音声によるメッセージに加えて文章でのメッセージを相手に送ったりすることができるほか、文章によるメッセージのＢＧＭとして音楽などを録音して相手に送ればより印象的な贈り物をすることが可能となる。
【００５７】
〔第３の実施形態〕
次に、本考案の第３の実施形態について図７から図９を参照しながら説明する。
本実施形態では、本考案に係る録音・再生機能付文具製品を録音・再生機能付クリスマスカードとして適用した場合について説明をする。
【００５８】
本実施形態に係る録音・再生機能付クリスマスカード４０の基本構成は、第１の実施形態と同様であるが、第１の実施形態とは、録音ボタン１２、再生ボタン１３、録音ボタン位置表示２２、再生ボタン位置表示２３、及びスピーカー１６の配置が異なる点が相違する。このため、以降の説明では、主に相違する点について説明し、共通する点についてはその説明を省略する。
【００５９】
本実施形態に係る録音・再生機能付クリスマスカード４０は、サンタクロースなどのクリスマスと関連する図柄が描かれた表紙４１の裏面に本体部４２を配置したものである。なお、表紙４１の上側の端部には、所定の幅を有したリボン５０が固定されており、リボン５０には、靴下やトナカイと言ったクリスマスに関連する図柄が描かれた複数の装飾５１が固定されている。このため、本実施形態に係る録音・再生機能付クリスマスカード４０は、クリスマスの装飾としても用いることができる様になっている。
【００６０】
本体部４２は、複数の紙製の板状部材によって形成された略立方体の空洞の箱で、その内部の空洞が配置空間１７となっている。この配置空間１７に、マイク１１、録音ボタン１２、再生ボタン１３、制御ＩＣ１４、バッテリー１５、及びスピーカー１６が主に配置されている。なお本体部４２は、一枚の紙製の板状部材を折り曲げ、接着をして略立方体に形成したものであってもよい。
【００６１】
表紙４１の裏面と接着される本体部４２の面が表面部４３であり、表面部４３と反対側の面が裏面部４４となっている。この表面部４３は、表紙４１の裏面と接着剤等により接着されている。また、表紙４１には、スピーカー１６からの音声を通過させるための貫通孔４７が設けられている。
【００６２】
裏面部４４の上側の辺である辺４５に沿った領域の左側の部分に、マイク位置表示２１が設けられている。そして、裏面部４４の下側の辺である辺４６に沿った領域の右側の部分に再生ボタン位置表示２３が設けられ、その隣接する左側に録音ボタン位置表示２２が設けられている。
【００６３】
なお、本実施形態において、辺４５に沿った領域が実用新案登録請求の範囲における第一の領域と、辺４６に沿った領域が実用新案登録請求の範囲における第二の領域とされている。また、辺４５に沿った領域の左側の部分が実用新案登録請求の範囲における第一の端部領域と、辺４６に沿った領域の右側の部分が実用新案登録請求の範囲における第三の端部領域とされている。
【００６４】
次に図９を参照しながら録音・再生機能付クリスマスカード４０の構成を説明する。なお、図９は説明のため、本体部４２を分解した状態を模式的に表しており、図９（ａ）は、表面部４３の表面を表している。そして図９（ｂ）は、表面部４３の配置空間１７側の面を表しており、図９（ｃ）は、裏面部４４の配置空間１７側の面を表している。
【００６５】
表面部４３の表側の面には、スピーカー１６がその音声出力方向が裏面部４４から表面部４３に向かう方向となるように固定されている。なおスピーカー１６は、表紙４１を接着した際に、ちょうど貫通孔４７の位置となるように配置されている。
【００６６】
表面部４３の配置空間１７側の面の任意の位置に制御ＩＣ１４及びバッテリー１５が固定されており、裏面部４４に設けられたマイク位置表示２１と対応する部分に、マイク１１が、その感度方向が表面部４３から裏面部４４に向かう方向となるように固定されている。
【００６７】
裏面部４４の録音ボタン位置表示２２が設けられた部分の配置空間１７側の面には、録音ボタン１２が固定されており、再生ボタン位置表示２３が設けられた部分の配置空間１７側の面には、再生ボタン１３が固定されている。
【００６８】
使用者は、録音を行う際には、録音ボタン位置表示２２を押してマイク位置表示２１に向かって話し、メッセージ等を録音する。そして、再生を行う場合には、再生ボタン位置表示２３を押すことで、制御ＩＣ１４に記憶された音声を再生する。なお、本実施形態に係る録音・再生機能付クリスマスカード４０では、スピーカー１６の出力方向が、再生ボタン位置表示２３が配置されている裏面４３とは反対側の方向を向くように配置されている。このため、再生された音声は表紙４１の表面と向かう人に向かって出力される。
【００６９】
上記の構成からなる本実施形態に係る録音・再生機能付クリスマスカード４０では、スピーカー１６の出力方向が、再生ボタン位置表示２３が配置されている裏面４３とは反対側の方向を向くように配置されていることから、再生ボタン１３を操作する使用者が、表紙４１の図柄等を他の人に見せながら、記憶されたメッセージを聞かせることが可能となる。
【００７０】
なお、本考案の技術範囲は上記実施形態に限定されるものではなく、本考案の趣旨を逸脱しない範囲において種々の変更を加えることが可能である。
例えば、第１の実施形態において、表示領域１０を左側部５に設けた例に適用して説明したが、表示領域１０を右側部３に設けたり、右側部３と左側部５の両方に設けたりしてもよい。また、スピーカー１６の音声出力方向を表面２の方向に向けて配置する例に適用して説明したが、スピーカー１６の音声出力方向を裏面部７の方向に向けて配置してもよい。また、録音ボタン１２及び再生ボタン１３の配置は、それぞれの実施形態に記載の配置に限定される訳ではなく、例えば、第１の実施形態において、第２の実施形態や第３の実施形態の様な録音ボタン１２及び再生ボタン１３の配置としてもよい。また、その他の実施形態においても同様である。
【００７１】
また、本実施形態では、長方形や立方体の形状をした録音・再生機能付文具製品について説明したが、円形や多角形などの任意の形状であってもよい。
【符号の説明】
【００７２】
１  録音・再生機能付色紙    ２  表面    ３  右側部    ４  連結部
５  左側部    ６  裏面部    ７  裏面部    ８  辺    ９  辺
１０  表示領域    １１  マイク    １２  録音ボタン    １３  再生ボタン
１４  制御ＩＣ    １５  バッテリー    １６  スピーカー    １７  配置空間
２１  マイク位置表示    ２２  録音ボタン位置表示  ２３  再生ボタン位置表示
２４  記憶機能部    ２５  録音制御機能部    ２６  再生制御機能部
３０  録音・再生機能付金封    ３１  表面部    ３２  スピーカー位置表示
３３  貫通孔    ３４  貫通孔  ３５  封筒収納部    ３６  裏面部
３７  側面部    ３８  辺    ３９  辺
４０  録音・再生機能付クリスマスカード    ４１  表紙    ４２  本体部
４３  表面部    ４４  裏面部    ４５  辺    ４６  辺    ４７  貫通孔
５０  リボン    ５１  装飾
【図１】
0003204330.tif 000003
【図２】
0003204330.tif 000004
【図３】
0003204330.tif 000005
【図４】
0003204330.tif 000006
【図５】
0003204330.tif 000007
【図６】
0003204330.tif 000008
【図７】
0003204330.tif 000009
【図８】
0003204330.tif 000010
【図９】
0003204330.tif 000011